Podtech/llm-jp-corpus-v4-ja_patent huggingface dataset:
【手続補正書】
【提出日】平成17年3月30日(2005.3.30)
【手続補正１】
【補正対象書類名】特許請求の範囲
【補正対象項目名】全文
【補正方法】変更
【補正の内容】
【特許請求の範囲】
【請求項１】
約３．０重量部(ｐｂｗ)未満の没食子酸含有量を有するタンニン酸を含む水性処理組成物であって、当該タンニン酸は、当該水性処理組成物の総重量に基づいて、当該水性処理組成物中、最大約０．５ｐｂｗで存在している水性処理組成物。
【請求項２】
前記タンニン酸が、約２．０ｐｂｗ未満の没食子酸含有量を有する、請求項１に記載の処理組成物。
【請求項３】
前記タンニン酸が、前記組成物中、約０．００５ｐｂｗ〜約０．４ｐｂｗで存在している、請求項１に記載の処理組成物。
【請求項４】
約３．０未満のｐＨを有する請求項１に記載の水性処理組成物。
【請求項５】
請求項１に記載の水性処理組成物であって、更に：
ａ）耐汚染化合物；
ｂ）架橋剤；
ｃ）フッ素化合物；又は
ｄ）有機ケイ酸塩材料、
を含む水性処理組成物。
【請求項６】
請求項５に記載の水性処理組成物であって、前記耐汚染化合物が存在し且つ：
ａ）メタクリル酸のポリマーもしくはコポリマー；
ｂ）フェノール樹脂；
ｃ）スチレン−無水マレイン酸コポリマー；又は
ｄ）重合されたモノマーの水性溶液であって、当該モノマーは(メタ)アクリル酸、アルキル(メタ)アクリル酸、及び置換もしくは非置換のスチレンを含む、
水性処理組成物。
【請求項７】
前記水性処理組成物の総重量に基づいて、前記耐汚染化合物が０．０ｐｂｗ超〜約２．０ｐｂｗで存在している、請求項５に記載の水性処理組成物。
【請求項８】
請求項５に記載の水性処理組成物であって、前記架橋剤が存在しており且つ酒石酸アンチモンカリウム又は塩化第一スズ含む、水性処理組成物。
【請求項９】
前記水性処理組成物の総重量に基づいて、前記耐汚染化合物が０．０００１ｐｂｗ〜約５．０ｐｂｗで存在している、請求項５に記載の水性処理組成物。
【請求項１０】
繊維、糸又はカーペットを処理する方法であって：
ａ）第一の水性処理組成物であって、タンニン酸及び架橋剤を含む水性処理組成物を、繊維、糸又はカーペットに対して適用し；そして
ｂ）第二の水性処理組成物であって、
ｉ）耐汚染化合物；
ii）１又は複数の架橋剤；
iii）フッ素化合物；又は
iv）有機ケイ酸塩材料、
を含む水性処理組成物を、当該繊維、カーペット又は糸に対して適用する、
ことを含む方法。
【請求項１１】
前記タンニン酸が、約３．０重量部未満の没食子酸含有量を有する、請求項１０に記載の方法。
【請求項１２】
前記処理された繊維、糸又はカーペットが、タンニン酸を、当該乾燥繊維、糸又はカーペットの総重量に基づいて、最大約５．０重量部有する、請求項１０に記載の方法。
【請求項１３】
前記第一の水性処理溶液中の前記架橋剤は、酒石酸アンチモンカリウムを含む、請求項１０に記載の方法。
【請求項１４】
前記耐汚染化合物が第二の水性処理組成物中に存在しており且つ：
ａ）メタクリル酸のポリマーもしくはコポリマー；
ｂ）フェノール樹脂；
ｃ）スチレン−無水マレイン酸コポリマー；又は
ｄ）重合されたモノマーの水性乳濁液であって、当該モノマーは(メタ)アクリル酸、アルキル(メタ)アクリル酸、及び置換もしくは非置換のスチレンを含む、
請求項１０に記載の方法。
【請求項１５】
ａ）とｂ）の間に更に、約１６０°Ｆ〜約２６０°Ｆの温度で、約１５〜約６０分の範囲の時間に渡り加熱する工程を含む請求項１０に記載の方法。
【請求項１６】
前記第一の水性処理溶液が更に：
ａ）耐汚染化合物；
ｂ）フッ素化合物；又は
ｃ）有機ケイ酸塩材料、
を含む請求項１０に記載の方法。
【請求項１７】
前記耐汚染化合物が当該第一の水性処理組成物中に存在しており且つ当該化合物を繊維、糸又はカーペットに対して最大約４.０ｏｗｆで適用している請求項１６に記載の方法。
【請求項１８】
前記耐汚染化合物が前記第一の水性処理組成物中に存在しており且つ繊維、糸又はカーペットに対して約０．２５〜３.０ｏｗｆにおいて適用している請求項１６に記載の方法。
【請求項１９】
前記耐汚染化合物が前記第一の水性処理組成物中に存在しており且つ：
ａ）メタクリル酸のポリマーもしくはコポリマー；
ｂ）フェノール樹脂；
ｃ）スチレン−無水マレイン酸コポリマー；又は
ｄ）重合されたモノマーの水性溶液であって、当該モノマーは(メタ)アクリル酸、アルキル(メタ)アクリル酸、及び置換もしくは非置換のスチレンを含む、
請求項１６に記載の方法。
【請求項２０】
前記フッ素化合物が前記第二の水性処理組成物中に存在しており且つ当該化合物を繊維、糸又はカーペットに対して、当該繊維、糸又はカーペットの総重量に基づいて、約１００〜約８００ｐｐｍの範囲の量において適用している、請求項１６に記載の方法。
【請求項２１】
前記架橋剤が前記第二の水性処理組成物中に存在しており且つ塩化第一スズを含む、請求項１６に記載の方法。
【請求項２２】
前記第一の水性処理組成物及び第二の水性処理組成物のいずれかあるいは両方がｐＨ約３未満を有する、請求項１０に記載の方法。
【請求項２３】
繊維、糸又はカーペットを処理する方法であって：
ａ）第一の水性処理組成物を、繊維、糸又はカーペットに対して適用すること、
を含み、
ここで当該水性処理組成物はタンニン酸を含み、そして当該タンニン酸は約３．０重量部未満の没食子酸含有量を有する、
方法。
【手続補正書】
【提出日】平成17年7月27日(2005.7.27)
【手続補正１】
【補正対象書類名】明細書
【補正対象項目名】０００９
【補正方法】変更
【補正の内容】
【０００９】
据付枠２及び吸込グリル３からなる吸込口の壁８への取付は、壁８の開口部において、据付枠２と吸込グリル３とで壁８の開口部の壁端部を挟むように埋め込み行う。即ち、据付枠２の前端部に吸込グリル３の外枠３ａ後端部を重ねることにより、据付枠２の前端部の端面と吸込グリル３の切欠き９とで形成される、四辺に亘って外側に開口する溝９ａに壁８の開口部の壁端部を挟むように埋め込む。この際、図３に示すように、左右両端において、据付枠２の前端部に固定され、内側に延びる金属製の板状の受け具１５に外枠３ａの後端部が固定され、内側に延びる金属製の板状の止め具１４を重ね、両者をネジ１６にてねじ止めすることにより、外枠３ａは壁８を介して、壁８の内側に通された梁に固定された据付枠２に一体の枠体として固定される。
【手続補正書】
【提出日】平成16年4月26日(2004.4.26)
【手続補正１】
【補正対象書類名】明細書
【補正対象項目名】特許請求の範囲
【補正方法】変更
【補正の内容】
【特許請求の範囲】
【請求項１】
静磁場、傾斜磁場及び高周波磁場の各磁場を発生する各磁場発生手段と、被検体からの核磁気共鳴信号（以下、ＮＭＲ信号という）を検出する信号検出手段と、前記ＮＭＲ信号を受信する受信器と、該受信器からのＮＭＲ信号に基づき画像再構成のための信号処理、演算を行う信号処理手段と、該信号処理手段の演算結果を出力する出力手段とを備えた磁気共鳴イメージング装置において、前記高周波磁場発生手段は少なくとも２個以上の電力供給端子を有し、該記電力供給端子のそれぞれに一の電力を分配して供給する電力分配手段を備え、該電力分配手段は所望の分配比率及び位相で前記電力分配できるような調整手段を有することを特徴とする磁気共鳴イメージング装置。
【請求項２】
請求項１記載の磁気共鳴イメージング装置において、前記電力分配手段が複数個の低域通過フィルタにより構成されていることを特徴とする磁気共鳴イメージング装置。
【請求項３】
請求項１及び２記載の磁気共鳴イメージング装置において、前記電力分配手段が集中定数部品で構成されていることを特徴とする磁気共鳴イメージング装置。
【請求項４】
請求項１乃至３記載の磁気共鳴イメージング装置において、前記電力分配手段が非磁性の素子で構成されていることを特徴とする磁気共鳴イメージング装置。
【請求項５】
請求項１乃至４記載の磁気共鳴イメージング装置において、前記調整手段が少なくとも１個以上の可変容量素子を含むことを特徴とする磁気共鳴イメージング装置。
【請求項６】
請求項１乃至５記載の磁気共鳴イメージング装置において、前記電力供給端子の数は２つであり、それぞれに供給される電力の位相が９０°異なることを特徴とする磁気共鳴イメージング装置。
【手続補正書】
【提出日】平成16年4月26日(2004.4.26)
【手続補正１】
【補正対象書類名】明細書
【補正対象項目名】特許請求の範囲
【補正方法】変更
【補正の内容】
【特許請求の範囲】
【請求項１】
被検体からのＭＲＩ信号を収集する架台と被検体を載せて少なくとも前記架台内への入出移動及び上下移動が可能な寝台と、発振部を内蔵してこの発振部からのシステムクロックに基づき前記寝台の駆動制御を行う寝台制御部と、前記寝台の移動のための情報入力を
行う１以上の操作部を備え、前記寝台制御部は前記架台でのスキャン実行期間に亘って前記発振部でのシステムクロックの発振を停止する磁気共鳴イメージング装置に
おいて、
前記寝台制御部は、前記スキャン実行期間か否かに関わらず、いずれの前記操作部による操作によっても前記発振部のシステムクロックの発振を再開する構成としたこ
とを特徴とする磁気共鳴イメージング装置。
【手続補正書】
【提出日】平成16年5月11日(2004.5.11)
【手続補正１】
【補正対象書類名】明細書
【補正対象項目名】特許請求の範囲
【補正方法】変更
【補正の内容】
【特許請求の範囲】
【請求項１】
アルミニウム材料（１）とアルミニウムめっきされた鉄材料（２）との接合部に、ろう材成分およびフラックス成分の圧粉成形体からなるフラックス含有ろう材（４）を配置し、前記接合部を加熱して前記フラックス含有ろう材（４）を溶融させ、これらの材料（１）（２）を接合することを特徴とするアルミニウム材料と鉄材料の接合方法。
【請求項２】
前記アルミニウムめっきされた鉄材料のめっき層厚さが５〜２００μｍである請求項１に記載のアルミニウム材料と鉄材料の接合方法。
【請求項３】
前記圧粉成形体のろう材成分とフラックス成分とが９９：１〜８５：１５で配合されたものである請求項１または２に記載のアルミニウム材料と鉄材料の接合方法。
【請求項４】
前記加熱は、大気中で前記アルミニウム材料（１）を介してレーザを照射して熱伝導加熱により行う請求項１ないし３のいずれか１項に記載のアルミニウム材料と鉄材料の接合方法。
【請求項５】
前記アルミニウム材料（１）または鉄材料（２）の少なくとも一方の接合部に凹部（３）を形成し、該凹部（３）内に前記フラックス含有ろう材（４）を配置する請求項１ないし４のいずれか１項に記載のアルミニウム材料と鉄材料の接合方法。
【請求項６】
アルミニウム材料とアルミニウムめっきされた鉄材材料とが、請求項１ないし５のいずれか１項に記載のアルミニウム材料と鉄材材料の接合方法により接合されてなることを特徴とする接合物。
【請求項７】
前記接合物は重ね継手である請求項６に記載の接合物。
【手続補正書】
【提出日】平成17年4月26日(2005.4.26)
【手続補正１】
【補正対象書類名】明細書
【補正対象項目名】特許請求の範囲
【補正方法】変更
【補正の内容】
【特許請求の範囲】
【請求項１】
ペースパルスを発するペースメーカを備えた患者のＥＣＧ信号から心臓応答を検出するシステムにおいて、
前記ペースパルスのペースパルス尾部を含む前記ＥＣＧ信号の、パルスの面積を求める手段と、
求められた前記面積から推定数学関数を求める手段と、
前記心臓応答を検出するために前記ＥＣＧ信号と共に前記推定数学関数を評価する手段とを備えていることを特徴とする心臓応答検出システム。
【請求項２】
ＥＣＧ信号と共に推定数学関数を評価する前記手段は、所定の窓の内部において、前記ＥＣＧ信号と前記推定数学関数との間に囲まれた領域の面積を求める手段を備えていることを特徴とする請求項１記載の心臓応答検出システム。
【請求項３】
ＥＣＧ信号と共に推定数学関数を評価する前記手段は、
所定の時刻における前記ＥＣＧ信号の傾斜を求める手段と、
前記所定の時刻における前記推定数学関数の傾斜を求める手段と、
前記所定の時刻における前記ＥＣＧ信号の求められた前記傾斜を前記推定数学関数の求められた前記傾斜と比較する手段とを備えていることを特徴とする請求項１記載の心臓応答検出システム。
【請求項４】
前記ＥＣＧ信号に含まれる前記ペースパルスの主パルスを検出する手段と、
前記ＥＣＧ信号中に前記心臓応答が確認されるまで、出力信号を、前記主パルスが発生する直前に測定された前記ＥＣＧ信号の値に設定する手段とをさらに備えていることを特徴とする請求項１から３いずれか一項記載の心臓応答検出システム。
【請求項５】
前記ＥＣＧ信号に含まれる前記ペースパルスの主パルスを検出する手段と、
前記ペースメーカの前記ペースパルス尾部を含んだ前記ＥＣＧ信号の前記パルスから前記推定数学関数を減ずることにより、前記心臓応答の形状を近似する手段とをさらに備えていることを特徴とする請求項１から３いずれか一項記載の心臓応答検出システム。
【請求項６】
前記ＥＣＧ信号中に含まれる前記心臓応答を検出し、前記ＥＣＧ信号中のペースパルスを抑制することにより修正されたＥＣＧ信号を発生するペースパルス排除ユニットと、前記修正されたＥＣＧ信号から前記患者の心搏度数を計数する長期心搏計とをさらに備えていることを特徴とする請求項１から５いずれか一項記載の心臓応答検出システム。
【請求項７】
患者の心搏度数を求めるための、請求項１から６いずれか一項記載のシステムの使用方法。
【請求項８】
ペースパルスを発するペースメーカを備えた患者のＥＣＧ信号中に含まれる心臓応答を検出する方法において、
前記ペースパルスのペースパルス尾部を含む前記ＥＣＧ信号の、パルスの面積を求めるステップと、
求められた前記面積から推定数学関数を求めるステップと、
前記心臓応答を検出するために前記ＥＣＧ信号と共に前記推定数学関数を評価するステップとを含むことを特徴とする方法。
【請求項９】
ＥＣＧ信号と共に推定数学関数を評価する前記ステップは、所定の窓内において、前記ＥＣＧ信号と前記推定数学関数との間に囲まれた領域の面積を求めるステップを含んでいることを特徴とする請求項８記載の方法。
【請求項１０】
ＥＣＧ信号と共に推定数学関数を評価する前記ステップは、
所定の時刻における前記ＥＣＧ信号の傾斜を決定するステップと、
前記所定の時刻における前記推定数学関数の傾斜を決定するステップと、
前記所定の時刻における前記ＥＣＧ信号の決定された前記傾斜を前記推定数学関数の決定された前記傾斜と比較するステップとを含んでいることを特徴とする請求項８記載の方法。
【請求項１１】
前記ＥＣＧ信号中に含まれる前記ペースパルスの主パルスを検出するステップと、
前記ＥＣＧ信号の中に前記心臓応答が認められるまで、出力信号を、前記主パルスが発生する直前に測定された前記ＥＣＧ信号の値に設定するステップとをさらに含むことを特徴とする請求項８から１０いずれか一項記載の方法。
【請求項１２】
前記ＥＣＧ信号中に含まれる前記ペースパルスの主パルスを検出するステップと、
前記ペースメーカの前記ペースパルス尾部を含んだ前記ＥＣＧ信号の前記パルスから前記推定数学関数を減ずることにより、前記心臓応答の形状を近似するステップとをさらに含むことを特徴とする請求項８から１０いずれか一項記載の方法。
【請求項１３】
前記ＥＣＧ信号の中に含まれる前記心臓応答を検出するステップと、
前記ＥＣＧ信号の中のペースパルスを抑制することにより修正されたＥＣＧ信号を発生するステップと、
前記修正されたＥＣＧ信号から前記患者の心搏度数を計数するステップとをさらに含むことを特徴とする請求項８から１２いずれか一項記載の方法。
【手続補正２】
【補正対象書類名】明細書
【補正対象項目名】００４６
【補正方法】変更
【補正の内容】
【００４６】
〔実施態様１〕 ペースパルス（10）を発するペースメーカを備えた患者のＥＣＧ信号（50）から心臓応答（40）を検出するシステムにおいて、
前記ペースパルス（10）のペースパルス尾部（30）を含む前記ＥＣＧ信号（50）の、パルス（70）の面積（Ａ'）を求める手段（150）と、
求められた前記面積（Ａ'）から推定数学関数（200）を求める手段（150）と、
前記心臓応答（40）を検出するために前記ＥＣＧ信号（50）と共に前記推定数学関数（200）を評価する手段（150）と
を備えていることを特徴とする心臓応答検出システム。
【手続補正３】
【補正対象書類名】明細書
【補正対象項目名】００５３
【補正方法】変更
【補正の内容】
【００５３】
〔実施態様８〕 ペースパルス（10）を発するペースメーカを備えた患者のＥＣＧ信号（50）中に含まれる心臓応答（40）を検出する方法において、
前記ペースパルス（10）のペースパルス尾部（30）を含む前記ＥＣＧ信号（50）の、パルス（70）の面積（Ａ'）を求めるステップと、
求められた面積（Ａ'）から推定数学関数（200）を求めるステップと、
前記心臓応答（40）を検出するために前記ＥＣＧ信号（50）と共に前記推定数学関数（200）を評価するステップと
を設けて成る方法。
【手続補正書】
【提出日】平成17年4月20日(2005.4.20)
【手続補正１】
【補正対象書類名】明細書
【補正対象項目名】特許請求の範囲
【補正方法】変更
【補正の内容】
【特許請求の範囲】
【請求項１】
蒸気発生装置を備えた液体容器（２）と、充填装置（１ａ）と、搬送貯蔵容器（１）から前記液体容器まで麻酔薬を供給する又は前記液体容器から麻酔薬を除去するための充填通路（４）と、前記液体容器を充填する時に麻酔液の量と等しい量の補償ガスを前記液体容器から前記搬送貯蔵容器まで搬送するため又は前記液体容器を空にする時に麻酔液の量と等しい量の補償ガスを前記搬送貯蔵容器から前記液体容器まで搬送するための補償ガス用通路とを具備する麻酔用蒸発装置において、前記充填装置（１ａ）は閉鎖手段（３、５）を具備し、前記閉鎖手段（３、５）は、前記搬送貯蔵容器（１）内に発生した過剰な圧力により、前記液体容器（２）の内側に開口している前記充填通路（４）と、前記液体容器（２）と前記搬送貯蔵容器（１）との間の前記補償ガス用通路とを閉鎖し、麻酔液が前記液体容器（２）まで流れるのを阻止するように構成されていることを特徴とする麻酔用蒸発装置。
【請求項２】
前記閉鎖手段は、前記充填通路（４）の出口と、前記液体容器（２）の内側の補償ガスが流れるための開口との付近に配置された閉鎖バルブ（３）によって形成されており、前記閉鎖バルブは、麻酔液用の前記搬送貯蔵容器（１）から放出される圧力により、前記充填通路及び前記補償ガス用通路を閉鎖する位置まで移動されることを特徴とする請求項１に記載の麻酔用蒸発装置。
【請求項３】
前記閉鎖手段は、前記充填通路（４）の容積よりも小さい容積を有する閉鎖通路（５）と、前記閉鎖通路（５）の端部において前記充填通路（４）の出口と前記液体容器（２）の内側の補償ガスが流れるための開口との付近に配置された閉鎖バルブ（３）とによって形成されており、前記閉鎖バルブは、麻酔液用の前記搬送貯蔵容器（１）から放出される圧力により、前記充填通路及び前記補償ガス用通路を閉鎖する位置まで移動されることを特徴とする請求項１に記載の麻酔用蒸発装置。
【請求項４】
前記閉鎖通路（５）の分岐位置の後ろの前記充填通路（４）内に流動抵抗を設けたことを特徴とする請求項３に記載の麻酔用蒸発装置。
【請求項５】
圧力が降下すると、前記充填通路及び前記補償ガス用通路が開口する初期位置まで前記閉鎖バルブ（３）が戻されることを特徴とする請求項２〜４のいずれか一項に記載の麻酔用蒸発装置。
【請求項６】
前記閉鎖バルブ（３）の過剰な圧力が作用する側の領域が、前記閉鎖バルブの前記充填通路（４）の側の領域よりも大きくなるように、前記閉鎖バルブの寸法を決定したことを特徴とする請求項５に記載の麻酔用蒸発装置。
【請求項７】
前記閉鎖バルブ（３）が、過剰な充填及び誤った充填位置になることを阻止するために前記充填通路（４）の端部に配置された安全機構を備えて配置されていることを特徴とする請求項２〜６のいずれか一項に記載の麻酔用蒸発装置。
【請求項８】
患者にとって害となる圧力を前記麻酔用蒸発装置から排出するために設けられたリリーフバルブ（７）が、前記閉鎖手段（３、５）と共に配置されていることを特徴とする請求項１〜７のいずれか一項に記載の麻酔用蒸発装置。
【請求項９】
前記リリーフバルブ（７）が前記閉鎖通路（５）と連通していることを特徴とする請求項８に記載の麻酔用蒸発装置。
【請求項１０】
前記閉鎖手段（３、５）が前記麻酔用蒸発装置の内側に配置されていることを特徴とする請求項１〜９のいずれか一項に記載の麻酔用蒸発装置。
【手続補正２】
【補正対象書類名】明細書
【補正対象項目名】０００９
【補正方法】変更
【補正の内容】
【０００９】
図３は、フラスコ１の圧力Ｐ＋と容器２の圧力Ｐ1 との間の差違が大きい状況における図１の装置を示す。この状況において、フラスコの圧力は、充填管４及び閉鎖管５内に放出されている。閉鎖管５の容積が充填管４の容積よりも小さい時、圧力の衝撃は、閉鎖バルブ３の充填管４側よりも先に、閉鎖バルブ３の閉鎖管５側に到達し、閉鎖バルブ３は上述した初期位置から充填管４を閉鎖する位置まで移動する。換言すれば、閉鎖バルブ３は、図３に示すように、充填管の端部に押し付けられることにより、充填管の端部を閉鎖する。この状況において、フラスコ１が傾けられている時、液体は容器２まで流れることができない。この位置において、閉鎖バルブ３は、更に、補償ガス管を閉鎖しているので、液体が過剰な圧力によって管を通じて容器に流れることができないことが保証される。図１から図３に示す実施形態において、閉鎖管５の分岐位置の後ろの充填管４には流動抵抗が付加される。流動抵抗は、小さい直径を有する複数のパイプを備えた充填管４を形成することにより得られる。というのは、複数のパイプが流れを絞るからである。管等を狭めて管の絞り位置を設けることによっても流動抵抗が得られることは明らかである。流動抵抗により、上述した方法で過剰な圧力が閉鎖手段３、５を通じて放出されることが保証される。
【手続補正３】
【補正対象書類名】明細書
【補正対象項目名】００１１
【補正方法】変更
【補正の内容】
【００１１】
簡単な閉鎖バルブは、例えば図４及び図５に示す方法により達成される。図４及び図５において、図１から図３の対応する部品を示すために同一の参照番号が使用されている。図４及び図５は、閉鎖バルブが弓状の充填パイプ構造体の端部に配置されている方法を示す。閉鎖バルブにより、過剰な充填及び誤った充填位置になることが防止される。しかしながら、閉鎖バルブは、上述した安全な方法を採用しない充填システムにも配置可能であることは明らかである。図４は、明瞭に示すために、容器２の壁を一つのみ示しているが、実際の装置において、図４の充填パイプ構造体は、図１から図３に示した原理に基づいて容器２の内側に配置されることは明らかである。
【手続補正４】
【補正対象書類名】明細書
【補正対象項目名】００１２
【補正方法】変更
【補正の内容】
【００１２】
図４及び図５の例において、閉鎖バルブは、実際の閉鎖部分として作用する弾性的な膜部分３及び戻しばね６によって形成される。膜部分６は、膜部分自体が戻しばねとして作用するように形成されることもできることは明らかである。図５において、膜部分３は、初期位置、つまり、図１の状況に対応する位置にて示してある。図５は、更に、破線により、充填管を閉鎖する位置における膜部分を示している。破線により示した膜部分３の位置は、図３の状況に対応している。好適には、過剰な圧力が作用し得る側、つまり、図面に示す例においては閉鎖管５側の圧力が作用している領域が、充填管４側の圧力が作用している領域よりも大きくなるように、閉鎖バルブの寸法が決定される。
【手続補正書】
【提出日】平成17年3月30日(2005.3.30)
【手続補正１】
【補正対象書類名】明細書
【補正対象項目名】特許請求の範囲
【補正方法】変更
【補正の内容】
【特許請求の範囲】
【請求項１】
ソリッドコアと前記コアを包囲するカバーとを含んでなるソリッドゴルフボールであって；該コアが中心コア層と前記中心コア層を包囲する外側コア層とを含み、該中心コア層が該外側コア層の比重と0.1より大きく異なる比重を有し；該カバーが該コアを覆って形成される内側カバー層と該内側カバー層を包囲する外側カバー層とを含み、該外側カバー層のショアーＤ硬度が該内側コア層よりも小さくかつ55以下であることを特徴とする前記ソリッドゴルフボール。
【請求項２】
前記中心コア層の比重が約1.0〜約2.0の範囲内にあり、前記外側コア層の比重が約0.7〜約1.6の範囲内にあり、かつこれらのコア層の比重の差が少なくとも約0.2である、請求項１記載のゴルフボール。
【請求項３】
少なくとも一方のコア層が熱硬化性エラストマー性基材である、請求項１記載のゴルフボール。
【請求項４】
ソリッドコアと該コアを包囲するカバーとを含んでなるソリッドゴルフボールであって；該コアが中心コア層と該中心コア層を包囲する外側コア層とを含み、該中心コア層が該外側コア層の比重と0.1より大きく異なる比重を有し；該カバーが、該コアを覆って形成される内側カバー層と該内側カバー層を覆って形成される外側カバー層とを含み、該内側カバー層のショアーＤ硬度が少なくとも65であり、周りに形成されている該内側カバー層を有する該コアが90以下のPGA圧縮率および0.790以上の反発係数を有し、該外部カバー層のショアーＤ硬度が50以下である前記ゴルフボールであり、反発係数が少なくとも0.780である前記ゴルフボール。
【手続補正書】
【提出日】平成17年1月28日(2005.1.28)
【手続補正１】
【補正対象書類名】明細書
【補正対象項目名】特許請求の範囲
【補正方法】変更
【補正の内容】
【特許請求の範囲】
【請求項１】
少なくとも１つの薬理学的に認容性の高分子量結合剤（結合剤Ａ）および少なくとも１つの製薬学的作用物質を基礎とする少なくとも二相の固形の配合医薬形を製造するための方法において、高分子量結合剤および場合による少なくとも１つの作用物質から溶融物を形成させ、この場合、形成の際に、場合による少なくとも１つの作用物質を含有する少なくとも１つの固形の製剤を、なお可塑性の材料中に収容させることを特徴とする、少なくとも二相の固形の配合医薬形の製造法。
【請求項２】
固形の製剤として、薬理学的に認容性の高分子量結合剤（結合剤Ｂ）からなる凝固した作用物質含有溶融物、凝固した作用物質溶融物、錠剤、丸薬、ペレット剤または作用物質結晶体を使用する、請求項１に記載の方法。
【請求項３】
結合剤（Ｂ）として、アルキルセルロース、ヒドロキシアルキルセルロース、カルボキシアルキルセルロース、ポリビニルピロリドン、Ｎ−ビニルピロリドンおよび酢酸ビニルからなるコポリマー、糖アルコールまたはポリエチレングリコールを使用する、請求項２に記載の方法。
【請求項４】
溶融物の成形を、溶融物の収容および成形のための凹みを表面に有している反対方向に回転する金型ローラーを有するカレンダー中での押出しおよび成形によって行う、請求項１に記載の方法。
【請求項５】
固形の製剤を１つの金型ローラーの凹みの中に送入する、請求項４に記載の方法。
【請求項６】
高分子量結合剤（Ｂ）からなる作用物質含有溶融物または作用物質溶融物を、１つの金型ローラーの凹みの中に送入し、かつ溶融物を凝固させる、請求項５に記載の方法。
【請求項７】
凹みを有する金型ローラーを平滑ローラーと組み合わせる、請求項４から６までのいずれか１項に記載の方法。
【請求項８】
少なくとも二相の固形の配合医薬形において、少なくとも１つの薬理学的に認容性の高分子量結合剤（結合剤Ａ）からなる第一の相が、少なくとも１つの製薬学的作用物質を包含していてもよく、かつ少なくとも１つの作用物質を含有している第二の相としての固形の製剤を凝固した溶融物の形で収容していることを特徴とする、少なくとも二相の固形の配合医薬形。
【請求項９】
固形の製剤が、薬理学的に認容性の高分子量結合剤（結合剤Ｂ）からなる凝固した作用物質含有溶融物、凝固した作用物質溶融物、錠剤、丸薬、ペレット剤または作用物質結晶体である、請求項８に記載の配合医薬形。
【請求項１０】
結合剤（Ｂ）が、アルキルセルロース、ヒドロキシアルキルセルロース、カルボキシアルキルセルロース、ポリビニルピロリドン、Ｎ−ビニルピロリドンおよび酢酸ビニルからなるコポリマー、糖アルコールまたはポリエチレングリコールである、請求項９に記載の配合医薬形。
【請求項１１】
錠剤の形での請求項８から１０までのいずれか１項に記載の配合医薬形。
【手続補正書】
【提出日】平成16年2月18日(2004.2.18)
【手続補正１】
【補正対象書類名】明細書
【補正対象項目名】０００２
【補正方法】変更
【補正の内容】
【０００２】
【従来の技術】
従来の使い捨ておむつの基本構造は、液体透過性の表面シートと液体不透過性の裏面シートの間に吸収体が配置された三層構造である。また、前記表面シートと吸収体の間に透水性シートを重ねて配置される場合もある。
【手続補正書】
【提出日】平成16年5月10日(2004.5.10)
【手続補正１】
【補正対象書類名】明細書
【補正対象項目名】特許請求の範囲
【補正方法】変更
【補正の内容】
【特許請求の範囲】
【請求項１】
列設される複数のパチンコ機から排出された使用済玉を、回収樋、貯留タンク、玉揚送装置及び補給樋を介して循環使用するように構成されると共に、前記補給樋から溢れた余剰玉を前記貯留タンクに還流する還流樋が設けられるパチンコ島台において、
前記還流樋の内側面には還流玉の直線的な落下を規制する複数の規制壁を交互に対向して突設し、該規制壁の上面を円弧状に形成したことを特徴とするパチンコ島台。
【請求項２】
前記還流樋は、少なくとも一つの前記規制壁を有する還流樋部材を複数個連結して構成されるものであることを特徴とする請求項１記載のパチンコ島台。
【請求項３】
前記規制壁は、前記還流樋に対して着脱可能に装着し得ることを特徴とする請求項１又は請求項２に記載のパチンコ島台。
【請求項４】
前記還流樋の上端部分に、パチンコ玉の侵入を防止する挿入板を外側から水平方向に挿入し得る挿入口を開設したことを特徴とする請求項１乃至請求項３のいずれかに記載のパチンコ島台。
【手続補正２】
【補正対象書類名】明細書
【補正対象項目名】０００６
【補正方法】変更
【補正の内容】
【０００６】
また、図１５に示すように、前記規制壁９２は、前記還流樋９０に対して着脱可能に装着し得ることにより、破損した規制壁９２を交換する場合にも、還流樋９０全体を取り替えることなく、破損した規制壁部材９２のみを取り替えればよいので、経済的で交換作業も容易となる。更に、図２に示すように、前記還流樋１１，１２の上端部分に、パチンコ玉の侵入を防止する挿入板４９を外側から水平方向に挿入し得る挿入口４８を開設したことにより、挿入口４８に挿入板４９を挿入して新たなパチンコ玉の進入を防いだ後、その内部に貯留されたパチンコ玉が排出されるのを待って還流樋１１，１２の内部が空になった状態で点検や修理の作業を行うことができる。
【手続補正３】
【補正対象書類名】明細書
【補正対象項目名】００５０
【補正方法】変更
【補正の内容】
【００５０】
また、前記規制壁は、前記還流樋に対して着脱可能に装着し得ることにより、破損した規制壁を交換する場合にも還流樋全体を取り替える必要がなく、経済的で交換作業も容易となる。更に、前記還流樋の上端部分に、パチンコ玉の侵入を防止する挿入板を外側から水平方向に挿入し得る挿入口を開設したことにより、挿入口に挿入板を挿入して新たなパチンコ玉の進入を防いだ後、その内部に貯留されたパチンコ玉が排出されるのを待って還流樋の内部が空になった状態で点検や修理の作業を行うことができる。
【手続補正４】
【補正対象書類名】図面
【補正対象項目名】図１５
【補正方法】変更
【補正の内容】
【図１５】
1998314431.tif 000001
【手続補正書】
【提出日】平成16年5月13日(2004.5.13)
【手続補正１】
【補正対象書類名】明細書
【補正対象項目名】請求項４
【補正方法】変更
【補正の内容】
【請求項４】
縮小表示に際しての使用画素の優先順位は、列方向についても、全てのキャラクタに対して共通に予め決められている、請求項１ないし請求項３のいずれかに記載のビデオゲーム装置。
【手続補正２】
【補正対象書類名】明細書
【補正対象項目名】００１５
【補正方法】変更
【補正の内容】
【００１５】
別の好ましい実施の形態によれば、縮小表示に際しての使用画素の優先順位は、列方向についても、全てのキャラクタに対して共通に予め決められている。
【手続補正書】
【提出日】平成16年5月13日(2004.5.13)
【手続補正１】
【補正対象書類名】明細書
【補正対象項目名】００２５
【補正方法】変更
【補正の内容】
【００２５】
図１は、本願発明に係るゲーム装置の一例としてのビデオゲーム装置のチップ構成の説明図であって、制御基板１上には、メインチップ２、セキュリティチップ３、スピーカ駆動チップ４、ＲＯＭチップ５、キャラクタＲＯＭチップ６、およびディスプレイ駆動チップ７が搭載されている。メインチップ２には、任意数のジョイスティックや押釦スイッチなどを備えた操作部８が接続されている。スピーカ駆動チップ４には、任意数のスピーカ９が接続されている。ディスプレイ駆動チップ７には、任意数のディスプレイ装置１０が接続されている。
【手続補正２】
【補正対象書類名】明細書
【補正対象項目名】００３２
【補正方法】変更
【補正の内容】
【００３２】
次に、上記ビデオゲーム装置の動作の要点について説明する。ビデオゲームは、ＣＰＵ２１が、ＲＯＭ３０およびセキュリティ回路３１のセキュリティデータ記憶回路３６に記憶されているプログラムやデータに基づいて、プレイヤの操作による操作部８からの操作信号に応じた指令信号をサウンドコントローラ２３およびビデオコントローラ２４に出力することにより進行する。これによりサウンドコントローラ２３が、ＣＰＵ２１からの指令信号に基づいてスピーカ駆動回路２７を制御し、スピーカ駆動回路２７によりスピーカ９が駆動されて、バックグラウンドミュージックや効果音などを発生する。また、ビデオコントローラ２４が、ＣＰＵ２１からの指令信号に基づいて、表示すべきキャラクタのキャラクタコードをビデオＲＡＭ２６に所定の順序で書き込むとともに、それらのキャラクタコードに基づいてキャラクタＲＯＭ２９から各キャラクタを構成する画素の色指定データを読み出し、それに基づいてディスプレイ駆動回路２８を制御する。これによりディスプレイ駆動回路２８が、ディスプレイ装置１０を駆動し、ディスプレイ装置１０の表示画面上に、背景やオブジェクトからなる動画を表示させる。もちろん、プレイ中でないときには、ＣＰＵ２１は、ディスプレイ装置１０の表示画面上に、予め決められたデモ映像を表示させるとともに、それに応じた音をスピーカ９から出力させ、ビデオゲームの内容を報知する。
【手続補正３】
【補正対象書類名】明細書
【補正対象項目名】００３４
【補正方法】変更
【補正の内容】
【００３４】
そして、ビデオゲームの種類の変更やバージョンアップに際しては、出荷先からビデオゲーム装置の制御基板１を回収し、セキュリティ回路３１のシリアルナンバー記憶回路３２からシリアルナンバーを読み出す。このシリアルナンバーに基づいて、社内に電子ファイルあるいは紙ファイルとして保存しているファイルから対応するＩＤを検索して、そのＩＤをセキュリティ回路３１のＩＤ入力回路３４に入力する。これにより一致検出回路３５が、ＩＤ記憶回路３３に記憶されているＩＤとＩＤ入力回路３４に入力されたＩＤとを比較し、両者が一致していれば、セキュリティデータ記憶回路３６の書き換えを許可する。したがって、セキュリティ回路３１のセキュリティデータ記憶回路３６に記憶されている内容を、新たな種類のビデオゲームあるいはバージョンアップしたビデオゲームに応じたものに書き換えるとともに、ＲＯＭ３０を交換することにより、ビデオゲームの種類の変更あるいはバージョンアップが完了する。もちろん、キャラクタの内容を変更する場合には、キャラクタＲＯＭ２９も交換する。
【手続補正４】
【補正対象書類名】明細書
【補正対象項目名】００４０
【補正方法】変更
【補正の内容】
【００４０】
また上記実施形態においては、セキュリティ回路３１にシリアルナンバー記憶回路３２を設けてシリアルナンバーを記憶させたが、シリアルナンバーは、たとえば制御基板１の適所に印刷あるいは刻印しておいてもよい。
【手続補正５】
【補正対象書類名】明細書
【補正対象項目名】符号の説明
【補正方法】変更
【補正の内容】
【符号の説明】
１  制御基板
２  メインチップ
３  セキュリティチップ
４  スピーカ駆動チップ
５  ＲＯＭチップ
６  キャラクタＲＯＭチップ
７  ディスプレイ駆動チップ
８  操作部
９  スピーカ
１０  ディスプレイ装置
２１  ＣＰＵ
２２  ＲＡＭ
２３  サウンドコントローラ
２４  ビデオコントローラ
２５  入出力インターフェース
２６  ビデオＲＡＭ
２７  スピーカ駆動回路
２８  ディスプレイ駆動回路
２９  キャラクタＲＯＭ
３０  ＲＯＭ
３１  セキュリティ回路
３２  シリアルナンバー記憶回路
３３  ＩＤ記憶回路
３４  ＩＤ入力回路
３５  一致検出回路
３６  セキュリティデータ記憶回路
【手続補正書】
【提出日】平成16年5月13日(2004.5.13)
【手続補正１】
【補正対象書類名】明細書
【補正対象項目名】特許請求の範囲
【補正方法】変更
【補正の内容】
【特許請求の範囲】
【請求項１】
前面枠の裏面側に遊技盤取付枠が設けられ、前記遊技盤取付枠に前記遊技盤が着脱自在に装着され、前記遊技盤の裏面には球タンク，景品球払出装置，複数個の固定部材等の裏機構が組付けられた合成樹脂製の機構板が開閉自在に装着され、かつ前記機構板を前記遊技盤の裏面の所定位置に密着固定させるために前記遊技盤取付枠に固定部材の受部が設けられているパチンコ遊技機において、
前記遊技盤取付枠の上辺部に位置規制突条を設けると共に、前記位置規制突条の先端をテーパー面として形成し、前記遊技盤裏面と相対する前記機構板の前面には、前記機構板を前記遊技盤の裏面の所定位置に密着固定した状態のとき前記位置規制突条の上面に載置されるリブ突条を設けたことを特徴とするパチンコ遊技機。
【請求項２】
前記リブ突条が前記機構板に形成された入賞球集合空間の横幅方向全長に亘って設けられている請求項１記載のパチンコ遊技機。
【手続補正２】
【補正対象書類名】明細書
【補正対象項目名】０００７
【補正方法】変更
【補正の内容】
【０００７】
【課題を解決するための手段】
上記目的を達成するために、本発明は、前面枠の裏面側に遊技盤取付枠が設けられ、該遊技盤取付枠に遊技盤が着脱自在に装着され、遊技盤の裏面には球タンク，景品球払出装置，複数個の固定部材等の裏機構が組付けられた合成樹脂製の機構板が開閉自在に装着され、かつ機構板を遊技盤の裏面の所定位置に密着固定させるために遊技盤取付枠に固定部材の受部が設けられているパチンコ遊技機において、
前記遊技盤取付枠の上辺部に位置規制突条を設けると共に、該位置規制突条の先端をテーパー面として形成し、前記遊技盤裏面と相対する前記機構板の前面には、機構板を遊技盤の裏面の所定位置に密着固定した状態のとき前記位置規制突条の上面に載置されるリブ突条を設けたものである。
【手続補正３】
【補正対象書類名】明細書
【補正対象項目名】００１５
【補正方法】変更
【補正の内容】
【００１５】
しかして、本発明では、図４及び図５に示すように前記遊技盤取付枠２の枠部材６の上辺部６ａ前面に位置規制突条２４を設けると共に、機構板４の入賞球集合空間１８の上方部にリブ突条２５を設けている。前記位置規制突条２４とリブ突条２５は、機構板４を遊技盤３の裏面の所定位置に正しく位置規制するものであり、このため位置規制突条２４の先端は後方に向かうテーパー面２４ａとして形成されている。また、リブ突条２５は、図４に示すように機構板４を遊技盤３の裏面の所定位置に密着固定した状態において位置規制突条２４の上面に載置されるようにその形成位置が選ばれる。
【手続補正書】
【提出日】平成16年5月19日(2004.5.19)
【手続補正１】
【補正対象書類名】明細書
【補正対象項目名】特許請求の範囲
【補正方法】変更
【補正の内容】
【特許請求の範囲】
【請求項１】
焼成庫内を加熱するグリルバーナと、被加熱物載置用の焼きアミを支持するグリル皿と、前記グリル皿の温度上昇を検知する温度スイッチと、前記温度スイッチからの出力に基づいて前記グリルバーナへのガスを遮断あるいは警報を発する制御手段とからなるグリル装置。
【請求項２】
グリル皿の底面が温度スイッチに当接するように前記グリル皿を押圧する弾性体を設けた請求項１記載のグリル装置。
【請求項３】
グリル皿の外周端面に沿いグリル皿の出し入れ時のがたつきを規制するグリル皿ガイドを備え、このグリル皿ガイドには前記グリル皿の外周端面を押圧する弾性体を設けた請求項１記載のグリル装置。
【手続補正書】
【提出日】平成17年10月31日(2005.10.31)
【手続補正１】
【補正対象書類名】特許請求の範囲
【補正対象項目名】全文
【補正方法】変更
【補正の内容】
【特許請求の範囲】
【請求項１】
基板の表面にレジストを塗布する塗布ユニットと、基板の表面に光を透過する液層を形成した状態で露光した後の基板を現像処理する現像ユニットと、を備えた塗布、現像装置において、
前記レジストが塗布された基板の表面に前記液層が形成される際に前記レジスト表面から溶出する成分を除去するためにレジストが塗布された基板の表面を露光前に洗浄液により洗浄するための第１の洗浄手段を設けたことを特徴とする塗布、現像装置。
【請求項２】
前記塗布ユニットは、
基板を水平に保持し、鉛直軸回りに回転自在な基板保持部と、
この基板保持部に保持された基板の表面にレジストを供給するレジスト供給ノズルと、
前記基板保持部に保持された基板の表面に洗浄液を供給し、前記第１の洗浄手段を構成する洗浄液ノズルと、を備えたことを特徴とする請求項１記載の塗布、現像装置。
【請求項３】
前記第１の洗浄手段は、
基板が搬入出できるように構成された密閉容器と、
この密閉容器の中に設けられ、基板を水平に載置するための基板載置部と、
前記密閉容器内に洗浄液を供給するための洗浄液供給手段と、
前記洗浄液を排出するための洗浄液排出手段と、を備えたことを特徴とする請求項１記載の塗布、現像装置。
【請求項４】
レジストが塗布された基板の表面を加熱する加熱ユニットを備え、
前記第１の洗浄手段は、前記加熱ユニットに隣接して設けられていることを特徴とする請求項３記載の塗布、現像装置。
【請求項５】
密閉容器内から洗浄液が排出された後、密閉容器内に乾燥ガスを通流させて基板を乾燥させる乾燥手段を備えたことを特徴とする請求項３または４記載の塗布、現像装置。
【請求項６】
前記第１の洗浄手段は、
基板を水平に保持する基板保持部と、
この基板保持部に保持された基板の表面に洗浄液を供給するために基板の幅方向に配列された洗浄液吐出口、及びこの洗浄液吐出口の前及び／または後に隣接して設けられ、基板上の洗浄液を吸引する洗浄液吸引口を有する洗浄液ノズルと、
洗浄液ノズルを基板保持部に対して相対的に前後方向に移動させるための手段と、を備えたことを特徴とする請求項１記載の塗布、現像装置。
【請求項７】
前記第１の洗浄手段は、基板上の洗浄液を乾燥させるための乾燥手段を備えたことを特徴とする請求項１または６記載の塗布、現像装置。
【請求項８】
レジストが塗布された基板を露光装置に受け渡し、また露光された基板を受け取るためのインターフェイス部を備え、
前記第１の洗浄手段は、インターフェイス部に設けられていることを特徴とする請求項１、３、５、６または７記載の塗布、現像装置。
【請求項９】
露光された基板の表面を現像前に洗浄液により洗浄するための第２の洗浄手段を更に備えたことことを特徴とする請求項１ないし８のいずれかに記載の塗布、現像装置。
【請求項１０】
前記第１の洗浄手段は前記第２の洗浄手段を共用することを特徴とする請求項９記載の塗布、現像装置。
【請求項１１】
基板の表面にレジストを塗布する塗布工程と、
前記レジストが塗布された基板の表面に前記液層が形成される際に前記レジスト表面から溶出する成分を除去するためにレジストが塗布された基板の表面を露光前に洗浄液により洗浄する第１の洗浄工程と、
その後、基板の表面に光を透過する液層を形成した状態で基板の表面を露光する露光工程と、
露光された基板の表面を現像する現像工程と、を含むことを特徴とする塗布、現像方法。
【請求項１２】
前記塗布工程は、基板を基板保持部に水平に保持した状態で基板の表面にレジストを供給する工程、を含み、
前記第１の洗浄工程は、前記基板保持部に基板を保持したまま、洗浄液ノズルから洗浄液を前記基板の表面に供給する工程であることを特徴とする請求項１１記載の塗布、現像方法。
【請求項１３】
第１の洗浄工程は、基板を密閉容器内に搬入して基板を水平に載置する工程と、前記密閉容器内に洗浄液を供給して基板表面を洗浄する工程と、前記洗浄液を排出する工程と、を備えたことを特徴とする請求項１１記載の塗布、現像方法。
【請求項１４】
洗浄液を密閉容器から排出した後、密閉容器内に乾燥ガスを通流して基板を乾燥する工程を更に含むことを特徴とする請求項１３記載の塗布、現像方法。
【請求項１５】
第１の洗浄工程は、基板の表面に洗浄液を供給する洗浄液吐出口を備えた洗浄液ノズルを基板に対して相対的に前後方向に移動させると共に、この洗浄液吐出口の前及び／または後に隣接して設けた洗浄液吸引口から基板に供給した洗浄液を吸引することを特徴とする請求項１１記載の塗布、現像方法。
【請求項１６】
前記第１の洗浄工程の後であって、露光工程の前に基板を乾燥させる工程を含むことを特徴とする請求項１１、１２、１３ないし１５のいずれか一つに記載の塗布、現像方法。
【請求項１７】
露光された基板の表面を現像前に洗浄液により洗浄する工程を含むことを特徴とする請求項１１ないし１６のいずれか一つに記載の塗布、現像装置。
【請求項１８】
露光工程の前に基板を加熱処理する加熱工程を有し、前記第１の洗浄工程は、前記塗布工程と前記加熱工程との間に行うことを特徴とする請求項１１、１２、１３ないし１５のいずれか一つに記載の塗布、現像装置。
【手続補正２】
【補正対象書類名】明細書
【補正対象項目名】０００６
【補正方法】変更
【補正の内容】
【０００６】
本発明の塗布、現像装置は、基板の表面にレジストを塗布する塗布ユニットと、基板の表面に光を透過する液層を形成した状態で露光した後の基板を現像処理する現像ユニットと、を備えた塗布、現像装置において、
前記レジストが塗布された基板の表面に前記液層が形成される際に前記レジスト表面から溶出する成分を除去するためにレジストが塗布された基板の表面を露光前に洗浄液により洗浄するための第１の洗浄手段を設けたことを特徴とする。
【手続補正３】
【補正対象書類名】明細書
【補正対象項目名】００１０
【補正方法】変更
【補正の内容】
【００１０】
本発明の塗布、現像方法は、基板の表面にレジストを塗布する塗布工程と、
前記レジストが塗布された基板の表面に前記液層が形成される際に前記レジスト表面から溶出する成分を除去するためにレジストが塗布された基板の表面を露光前に洗浄液により洗浄する第１の洗浄工程と、
その後、基板の表面に光を透過する液層を形成した状態で基板の表面を露光する露光工程と、
露光された基板の表面を現像する現像工程と、を含むことを特徴とする。
【手続補正４】
【補正対象書類名】明細書
【補正対象項目名】００１２
【補正方法】変更
【補正の内容】
【００１２】
また第１の洗浄工程は、基板の表面に洗浄液を供給する洗浄液吐出口を備えた洗浄液ノズルを基板に対して相対的に前後方向に移動させると共に、この洗浄液吐出口の前及び／または後に隣接して設けた洗浄液吸引口から基板に供給した洗浄液を吸引するようにしてもよい。更にまた、前記第１の洗浄工程の後であって、露光工程の前に基板を乾燥させる工程を含むようにしてもよい。更には露光された基板の表面を現像前に洗浄液により洗浄する工程を含むようにしてもよい。更にまた露光工程の前に基板を加熱処理する加熱工程を有し、前記第１の洗浄工程は、前記塗布工程と前記加熱工程との間に行うようにしてもよい。
【手続補正書】
【提出日】平成17年9月16日(2005.9.16)
【手続補正１】
【補正対象書類名】明細書
【補正対象項目名】特許請求の範囲
【補正方法】変更
【補正の内容】
【特許請求の範囲】
【請求項１】  支持体上に無機微粒子を主体に含有する少なくとも１層のインク受容層を設けた顔料インク用インクジェット記録材料において、該インク受容層が、ｐＨが７〜１３で分散して得られた湿式粉砕シリカの水性媒体分散液組成物を含有する塗布液を用いて塗設されたことを特徴とする顔料インク用インクジェット記録材料。
【手続補正書】
【提出日】平成17年10月4日(2005.10.4)
【手続補正１】
【補正対象書類名】特許請求の範囲
【補正対象項目名】全文
【補正方法】変更
【補正の内容】
【特許請求の範囲】
【請求項１】
互いに対抗した２つの横方向のフレーム部品（１ａ、１ｂ）を有するフレームと、
入口側から出口側へ長手の材料（７）を把持および輸送するための輸送装置と、
輸送装置を移動するための駆動部とを含み、輸送装置は、入口側から出口側へ移動する第１および第２の輸送手段（５、６）を有し、
第１輸送手段（５）に係合している一つの第１係合要素（１０）と第２輸送手段（６）に係合している一つの第２係合要素（１１）の少なくとも１つが設けられ、第１係合要素（１０）は、２つの係合要素が同期されるように第２係合要素（１１）に接続され、
第１および第２係合要素（１０、１１）は輸送装置の入口側に配置され、
前記駆動部は前記輸送装置の出口側に配置される、包装機。
【請求項２】
第１および第２係合要素（１０、１１）はねじりに耐える軸（１２）を介して回転に対して固定して互いに接続されていることを特徴とする、請求項１に記載の包装機。
【請求項３】
第１および第２係合要素（１０、１１）を一緒に駆動する駆動装置（１３）を特徴とする、請求項１または２に記載の包装機。
【請求項４】
第１および第２係合要素（１０、１１）の各々に対して１つの駆動装置を含み、前記駆動装置は、前記第１および第２係合装置を同期して駆動する、請求項１または２に記載の包装機。
【請求項５】
駆動装置（１３）が輸送装置の駆動と同期するように駆動装置（１３）を制御する制御装置を含むことを特徴とする、請求項３または４に記載の包装機。
【請求項６】
輸送装置は連続したチェーンとして構成され、係合要素（８−１１）は連続したチェーンに係合する歯付きのホイールとして構成されることを特徴とする、請求項１から５のいずれかに記載の包装機。
【請求項７】
輸送装置の駆動部は第１輸送手段（５）のための第１駆動要素（８）と、第２輸送手段（６）のために第２駆動要素（９）と、回転に対して固定するように駆動要素（８、９）が装着された軸（１４）およびこの軸を駆動するための駆動装置（１５）を有することを特徴とする、請求項１から６のいずれかに記載の包装機。
【請求項８】
同期した係合要素（１０、１１）の２以上の対が輸送経路に沿って設けられていることを特徴とする、請求項１から７のいずれかに記載の包装機。
【請求項９】
係合要素（１０、１１）の対には選択的に駆動部が設けられていることを特徴とする、請求項１から８のいずれかに記載の包装機。
【請求項１０】
駆動部が輸送装置の駆動と同期するように駆動部を制御する制御装置をさらに含むことを特徴とする、請求項１から９のいずれかに記載の包装機。
【請求項１１】
互いに対抗した２つの横方向のフレーム部品（１ａ、１ｂ）を有するフレームと、
入口側から出口側へ長手の材料（７）を把持および輸送するための輸送装置と、
輸送装置を移動するための駆動部とを含み、輸送装置は、入口側から出口側へ移動する第１および第２の輸送手段（５、６）を有し、
第１輸送手段（５）に係合している一つの第１係合要素（１０）と第２輸送手段（６）に係合している一つの第２係合要素（１１）の少なくとも１つが設けられ、
前記第１および第２係合要素（１０，１１）は、前記輸送装置の入口側に配置され、前記駆動部は前記輸送装置の出口側に配置された包装機における２つの輸送手段（５，６）の輸送経路の公差を最小にする方法であって、
前記２つの係合要素を結合することによって、第１係合要素（１０）と、第２係合要素（１１）とを同期させるステップを含む、方法。